(57)【要約】【課題】左右臀部を乗せる、横クッション（１）に、左右の足と足の間で挟む縦クッション（２）を設け、横クッション（１）と、縦クッション（２）の内部に電動の振動体を設けたＴ型腰掛具を提供する。【解決手段】左右臀部を乗せる、横クッション（１）の中央に、股方向へ延長させた、左右の足と足の間で挟みこめる縦クッション（２）を設け、横クッション（１）と、縦クッション（２）の内部に電動の振動体を設けたことを特徴とするＴ型腰掛具。【選択図】  図１
2005118547.tif 000002
【特許請求の範囲】
【請求項１】
左右臀部を乗せる横クッションの中央に、股方向へ延長させた、左右の足と足の間で挟みこめる、縦クッションを設けたことを特徴とするＴ型腰掛具。
【請求項２】
前記Ｔ型腰掛具に、電動の振動体を設け、振動機能を有したことを特徴とするＴ型腰掛具。
【発明の詳細な説明】
【技術分野】
【０００１】  本発明は、臀部を乗せる横クッションに、左右の足と足で挟みこめる縦クッションを設け、また、横クッションと縦クッションのそれぞれに電動の振動体を設けた、Ｔ型腰掛具に関するものである。
【背景技術】
【０００２】    従来、クッションは四角形、円形、円柱形などで、その上に座るなど、腰や頭などにあてがい使用していた。
【発明の開示】
【発明が解決しようとする課題】
【０００３】これは次のような欠点があった。
イ．  座る面が平らなため、骨盤が後方や前方に倒れすぎることを招きやすく、背筋を伸ばして座ることが難しかった。このため猫背などになりやすかった。またこのことが原因により、背筋を伸ばした良い姿勢で座る時に使われる背筋、腹筋などが使われづらかった。
ロ．  クッションの上に座ったときに、左右の足と足の間で挟むクッション部が設けられていないため、体の左右対称のバランスがとれた良い姿勢を作る事が難しく、足を組んで座ることや、椅子やソファーなどの背もたれに、もたれ掛かることを招きやすく、体に歪みが生じることがあった。又、よい姿勢を維持する事が容易ではなかった。このため、良い姿勢を維持して座る時に使われる、足、腰、臀部、背中、腹部の筋肉にバランスよく同時に軽い負荷をかけることが難しかった。またこのことが原因により、姿勢の改善と、基礎代謝量の向上による体脂肪の燃焼に効果的ではなかった。
ハ．  左右の足と足の間で挟みこめるクッション部がないため、その部分に電動のバイブレーション機能を設けることができなかった。そのため良い姿勢を維持する筋肉を使いながら、臀部と内腿を同時に電動のバイブレーションでマッサージし、体に刺激を与えることによって得られる相乗効果が得られなかった。
本発明は、以上の欠点を解決するためになされたものである。
【課題を解決するための手段】
【０００４】  左右臀部を乗せる横クッション（１）の中央に、横クッション（１）に対し垂直に股方向へ延長させた、左右の足と足の間で挟みこめる縦クッション（２）を設ける。横クッション（１）と縦クッション（２）の内部に電動の振動体を設ける。本発明は、以上を特徴とするＴ型腰掛具である。
【発明の効果】
【０００５】  臀部をのせて座る部分が、平面ではなく、点で骨盤を下から支えるため、骨盤が後方や前方に倒れすぎることを防ぎ、骨盤を前方の適切な位置に傾けて、背筋を伸ばして座ることが容易にできる。また、両足の間で縦方向に設置したクッションを挟みこむことにより体の前後左右のバランスがとれた良い姿勢をつくり座る事が容易にできる。またその良い姿勢を維持しやすく、姿勢の改善、体の歪み防止に役立つ。そして、その良い姿勢を維持するために使われる筋肉に軽い負荷をかけて刺激すると同時に、バイブレーションによるマッサージ効果が相乗効果となり、より体脂肪の燃焼につながる。また、疲労の癒し、心身の爽快感がえられる。
【発明を実施するための最良の形態】
【０００６】    以下、本発明の実態の形態について説明する。
左右臀部を乗せる横クッション（１）の中央に、横クッション（１）に対し垂直に股方向へ延長させた、左右の足と足の間で挟める縦クッション（２）を設ける。横クッション（１）と縦クッション（２）の内部に電動の振動体を設ける。縦クッション（２）は左右の太ももや両膝の間で挟みこみやすい形状になるように曲がりなどをもたせる。クッション部は使用時のつぶれすぎを防ぐために、ある程度の硬さと弾力性のある材料を使用する。
本発明は以上のような構成で、これを使用するときは、ソファー、椅子、床などの上で、図５の示すように、骨盤が前方の適切な位置に傾いて、背筋が伸びた良い姿勢になる臀部の位置で横クッション（１）中央の上に座り、縦クッション（２）を前方の股方向に向け、これを左右の太ももや両膝の間で軽く挟み使用する。平面ではなく、点で骨盤を下から支える横クッション（１）の上に座ることにより骨盤が前方の適切な位置に傾いて自然と背筋が伸びた良い姿勢になる。背筋が伸びる事により、背中の筋肉、腹部の筋肉、腰の筋肉、臀部の筋肉にバランスよく軽い負荷をかけられる。そして、横クッション（１）に対し垂直に股方向へ設けられた、縦クッション（２）を、左右の足と足の間で縦クッション（２）を挟むことにより、左右の太腿の筋肉に均等に力が入り、左右対称の姿勢を維持する筋肉のバランスが整えられる。この時、特に姿勢を維持する大腰筋が使われる。そして、縦クッション（２）を左右の太ももや両膝の間で挟むことによりソファーなどの背もたれに、もたれ掛かることや足を組んで座ることを防いでくれる。Ｔ型腰掛具を使うことにより、体の前後、左右のバランスがとれた良い姿勢を容易に自然につくり座ることができる。またその良い姿勢を維持しやすく、足の筋肉、腰の筋肉、臀部の筋肉、背中の筋肉、腹部の筋肉などに、同時に軽い負荷をかけて刺激し鍛えることができる。これらの姿勢を維持するための筋肉には遅筋が多く含まれている。遅筋は脂肪をエネルギー源にしているため、体脂肪の燃焼、基礎代謝量の向上につながる。また、横クッション（１）と縦クッション（２）に電動の振動体（３）を設け、バイブレーション機能を有する事によりマッサージ効果がある。このバイブレーションの振動によるマッサージ効果によって、脂肪分解酵素リパーゼが活性化して脂肪を遊離脂肪酸に分解して、体脂肪をより燃焼しやすい状態にする。また、バイブレーションのマッサージ効果により、疲労を癒し、心身ともに爽快感がえられる。
【実施例１】
【０００７】  図１で示すように、横クッション（１）と縦クッション（２）は円柱形だが、図３で示すように、横クッション（１）に、くぼみをつけるなど、形状は様々でよい。
【実施例２】
【０００８】  本発明を構成する素材は様々でよい。
【図面の簡単な説明】
【０００９】
【図１】本発明の斜視図
【図２】本発明の側面図
【図３】本発明の正面図
【図４】本発明の内臓物を破線で表した斜視図
【図５】本発明の隠れた部分を破線で表した使用状況を示す側面図
【図６】本発明の使用状態を示す後面図
【符号の説明】
【００１０】      １横クッション
２縦クッション
３振動体
４電気コード
５骨盤
６くぼみ
【図１】
2005118547.tif 000003
【図２】
2005118547.tif 000004
【図３】
2005118547.tif 000005
【図４】
2005118547.tif 000006
【図５】
2005118547.tif 000007
【図６】
2005118547.tif 000008